(57)【要約】【課題】足の締付け性を適格化しつつ、良好な通気性をもつ履物を提供する。【解決手段】甲被２の内側に甲被２と空間を設けて足の装着手段を設け、足を固定する。足の装着手段は、締付帯５、６、３０、３１と形状可変部材８、９、１０、甲パッド７及び牽引部材１２、１３を主要な要素として構成される。締付帯５、３０及び６、３１は、それぞれ形状可変部材８及び９、及び１０によって架橋され、甲パッド７を懸架している。甲パッド７上にある形状可変部材８及び９、１０の中点を牽引部材１２、１３で引いて装着手段の内径を変化させ、足の締付け具合を調節する。牽引部材１２、１３は、膨出部２２を有し、甲パッド７に設けられた孔１７、１８を利用して締付け状態を保持する。【選択図】図２
2010201069.tif 000002
【特許請求の範囲】
【請求項１】
履物の底と、履物の甲側にあって前記履物の底に足を締付けて密着させる装着手段と、前記装着手段の外側を覆う甲被とを備え、前記装着手段は足の締付け具合が調節可能であることを特徴とする履物。
【請求項２】
前記装着手段は、少なくとも一部に紐状又は帯状の形状可変部を有し、前記履物の底及び／又は前記甲被側面に少なくとも一端を固定された足の締付部材を備えるものであって、前記形状可変部を変形させて足の締付け具合を調節することを特徴とする請求項1記載の履物。
【請求項３】
前記装着手段は、前記形状可変部に組付けられて足の甲を覆う甲パッドを具備することを特徴とする請求項２記載の履物。
【請求項４】
前記甲パッドは、前記装着手段に対して脱着可能に構成されていることを特徴とする請求項３記載の履物。
【請求項５】
前記甲パッドは、保形性を有するとともに、前記形状可変部の変形量を調節し保持する調節機構が具備されていることを特徴とする請求項３記載の履物。
【請求項６】
前記調節機構は、前記形状可変部を前記履物の履き口方向に引き寄せる連行手段と、前記連行手段の特定部を甲パッドに係止する係止手段と、を有していることを特徴とする請求項５記載の履物。
【請求項７】
前記連行手段は紐状部材を含み、前記係止手段は、少なくとも前記紐状部材の特定部に特定部以外より大きな外径を有する膨出部と、前記甲パッドに設けられて前記膨出部の移動を阻止する係止部とからなることを特徴とする請求項６記載の履物。
【請求項８】
前記甲パッドは、通気を可能とする複数の孔又は微細構造を有することを特徴とする請求項３〜７のいずれかに記載の履物。
【請求項９】
前記履物の少なくとも爪先部に履物内部と外部との間を通気する換気構造を有することを特徴とする請求項２〜８のいずれかに記載の履物。
【請求項１０】
前記形状可変部の一部又は全部は、電気的に形状変形可能な高分子複合構造体であることを特徴とする請求項２記載の履物。
【請求項１１】
前記高分子複合構造体は、少なくとも締付け時に波型状に変形して足の締め付け具合を調節することを特徴とする請求項１０記載の履物。
【請求項１２】
前記履物は、足の動きを検出する検出手段を備えており、前記装着手段は前記検出手段からの信号に基づき足の締付け具合を変える制御手段を具備していることを特徴とする請求項１０又は１１記載の履物。
【請求項１３】
履物の底と、
履物の甲側にあって前記履物の底に足を密着させる装着手段と、
前記装着手段の外側を覆う甲被と、を備えた履物であって、
前記装着手段は、
電気的に伸縮可能な高分子複合構造体と、前記履物に具備された操作部又は遠隔操作器からの設定情報に基づき前記高分子複合構造体に通電して足の締付け具合を電気的に調節する制御手段とを含むことを特徴とする請求項1記載の履物。
【発明の詳細な説明】
【技術分野】
【０００１】
本発明は、通気性や開放性とフォーマル性の両立を図った履物に関するものである。
【背景技術】
【０００２】
足裏は、人体で特に多くの汗腺が分布しているところであるので、温暖な地域や熱帯地方では、足の甲を覆わずに紐やバンドで足を固定する履物（以下サンダルと記す）が、古くから着用されてきた。しかし、フォーマルな場や対面の場では、サンダルはタブーとされ、足の蒸れによる不快感を我慢して革靴が着用されている。そのため、足の甲を甲被で覆った履物の長時間着用による不快感を抑制するために、種々の改良が試みられている。例えば透湿防水性の材料を履物の甲被部材として用いたり、あるいは爪先や土踏まず部のアウトソールを開口し、外気を取り入れる構造のものが知られている（特許文献１）。この他、ヒール部にエアポンプや送風装置を設け、爪先部に換気管路を介して外気を強制的に送り込むものや（特許文献２）、両端が排水孔となっている水路を先芯の肉厚部内に形成し、該水路に沿って穿設した複数の導気孔と複数の通孔とにより該水路をそれぞれ靴外及び靴内へ連通させるとともに、液体水不透過性かつ水蒸気透過性の膜を該水路への該通孔の開口部に配設し、靴内への雨水侵入防止と靴内の通気性とを確保するものがある（特許文献３の図１及び図３）。
【０００３】
一方で従来、履物の内側に足の固定手段に類するものを有する履物は、外反母趾など足の障害を抑制するためのものが提案されているが（特許文献４）、足の締付け具合を調整できるものはなかった。さらに履物内部の蒸れや悪臭の発生を防止するために、履物の内側に足の装着手段を設けて履物内部の通気性を向上させる試みはない。
【先行技術文献】
【特許文献】
【０００４】
【特許文献１】特開平７−３２７７０６号公報
【特許文献２】特開平７−２３８０２号公報
【特許文献３】特開２００１−３７５０３号公報
【特許文献４】特開２００２−１６５６１１号公報
【発明の概要】
【発明が解決しようとする課題】
【０００５】
従来のサンダル以外の履物は、甲被と足の固定手段が同一であるため、歩行安定性を得るためには甲被を足に密着させることが必須であった。そのため、履物の内部は密閉状態で高湿状態になることが多く、足蒸れや悪臭などの不快な問題を発生させていた。これを改善するために靴内部と外部とをつなぐ通気孔を設けても、サンダル履きほどの通気性や開放感が得られなかった。足蒸れや悪臭などの不快感を嫌ってサイズの大きめの靴を着用すれば、足の指先に障害が発生したり、靴が脱げ易くなる等の副作用があり、歩行の安全性・安定性に支障をきたすことがあった。
【０００６】
本発明は、上述の問題点に鑑みなされたものであり、甲被で覆われた履物であってもサンダルのような履き心地とフォーマルな外形デザイン・足の被覆機能や高い歩行安定性とを両立可能な履物を提供することを課題とする。さらに足の動作状況に応じて足の締付け状態をダイナミックに変化させて、従来の履物には無い快適な機能を有する履物を提供することを第２の課題とする。
【課題を解決するための手段】
【０００７】
上記課題を解決するために、本発明に係る履物の第１の特徴は、履物の甲側にあって前記履物の底に足を密着させる装着手段と、前記装着手段とは密着せずに装着手段の外側を覆う甲被とを備え、甲被に覆われて外部から直接的に足の締付け具合を調節できない前記装着手段に対し前記装着手段は足の締付け具合を調節可能とした。すなわち足の固定機能と履物の外形・被覆機能を分離した。
【０００８】
この構成によれば、履物が足に密着する面積が減るので、熱や汗が放散され易くなる。さらに足と甲被との間に空間を設けることができるので、甲被材料に左右されずに蒸れた履物内部の空気が換気され易くなる。すなわち甲被材料は、通気性に関わる材質や厚み、コスト等の制約に左右されずに材料選択が可能となる。同時に、足の装着手段は、甲被７に依存せずに足の締付け具合を調節することができるので、歩行あるいは走行時でも高い安定性や安全性を得ることができる。さらに足のサイズの個人差や一日のうちで変化する足の大きさに対応して適宜、最適な足の締付け状態に調節できる。
【０００９】
さらに好ましい態様において、前記装着手段は、少なくとも一部に紐状もしくは帯状の形状可変部を有し、前記履物の底及び／又は前記甲被側面に少なくとも一端を固定された足の締付部材を備えるものであって、前記形状可変部を変形させて足の締付け具合を調節する。すなわち形状可変部を足に対する周囲長（内径）方向とは異なる履き口方向に変形させて周囲長を変化させるか、もしくは周囲長そのものが伸縮するようする。この構成によれば、装着手段の内径を変化させることができるので、甲被の内側であっても容易に足の締付け具合を調節することが可能となる。つまり、締付け具合を調節するために足と甲被との間に大きな空間を必要とせずに、外観的にも優れた履物を提供することができる。
【００１０】
さらに好ましい態様において、前記装着手段は、歩行時にほとんど変形しない足の甲の部分を覆う保形性を有する甲パッドを具備する。この構成によれば、締付部材による締付力が甲パッドを介して足に分散して加わるので、足に痛みを生じにくくなるとともに、足のホールド性が向上する。なお甲パッドは、材料の肉厚を薄くするなどして部分的に折り曲げ可能なものであってもよい。
【００１１】
さらに好ましい態様において、前記甲パッドは、前記装着手段に対して脱着可能に構成されている。この構成によれば、履物の製造過程で甲パッドを外した状態で甲被を形成することができるので、靴型を用いて製造する従来の製法が適用でき、製造が容易である
【００１２】
さらに好ましい態様において、前記甲パッドには、前記形状可変部の変形量を調節し保持する調節機構が具備されている。この構成によれば、強度や信頼性を要求される調節機構が、甲被に無関係に構成できるので、従来の甲被材や製法を大幅に変更する必要がない。また調節機構は甲被で隠すことができるので、外観上の制約なく調節機構を構成することができる。
【００１３】
さらに好ましい態様において、前記調節機構は、前記形状可変部を前記履物の履き口方向に引き寄せる連行手段と、前記連行手段を甲パッドに係止する係止手段と、を有している。この構成によれば、適度な柔軟性を有するプラスチックや金属、木質材料及び複合材料などの保形性の材料で形成した甲パッドを調節機構の一部として利用することで、調節機構を少ない部品点数と十分な強度で構成できる。また、足と甲被の狭い空間内に調節機構を配設することが可能となる。さらに締付の調整方向が履き口に向かう足の長さ方向だけとなるので、足を踏ん張りながら片手で容易に締付け具合の調整が可能となる。
【００１４】
さらに好ましい態様において、前記連行手段は紐状部材を含み、前記係止手段は、少なくとも前記紐状部材の特定部に特定部以外より大きな外径を有する膨出部と、前記甲パッドに設けられて爪先方向（＝反履き口方向）への前記膨出部の移動を阻止する係止部とからなる。例えば、甲パッドに形状可変部近くから履き口近くに貫通する孔を設け、この貫通孔の履き口側の開口形状を前記膨出部が通過可能な大きな孔と通過できない小さい孔とを連結した構造とする。この構成によれば、前記紐状部材を大きな孔から小さい孔に移動することで、膨出部が小さい孔によって移動を阻止されるので、形状可変部の変形状態を所望のところで保持できる。さらに前記紐状部材の履き口側の端を前記形状可変部と紐状部材との結合点に結んで環状にすれば、片手の指1本で締付調節・解除が迅速・容易にできる。
【００１５】
さらに好ましい態様において、前記甲パッドは、通気を可能とする複数の孔又は微細構造を有する。すなわち、保形性を有する甲パッドの全面に亘って通気や放湿を可能とする多数の孔や微細構造を形成してもよい。この構造によれば、足の甲から発散される熱や汗が、甲パッドによって放散を妨げられることが減るので、快適さが向上する。
【００１６】
さらに好ましい態様において、前記履物の少なくとも爪先部に履物内部と外部とをつなぐ通孔を設けて通気する換気構造を有する。具体的には、アウトソールや甲被に通孔を設ける。この構造によれば、汗腺が多く、最も水虫になりやすい足指部分に冷涼低湿な外気が導入され易くなる。また足と甲被との間に確実にできる隙間が煙突の役目を果たし、歩行をしていない着座時でも爪先部に外気が常に流入する自然換気が行われるので、足指部分が常に快適に保たれ、水虫や悪臭を防止することができる。
【００１７】
別の態様において、前記形状可変部の一部又は全部は、電気的に形状変形が可能な高分子複合構造体である。すなわち、前記締付部材の一部又は全部を電気的に伸縮可能な高分子複合構造体で構成する。この構成によれば、締付部材自体が電気的に１秒レベルの瞬時に伸縮するので、足の締付具合の調節を人が直接行わなくても、足の動きを自動検知してダイナミックに調節したり、手元の端末などから遠隔操作で調節したりすることができる。
【００１８】
さらに好ましい態様において、前記高分子複合構造体は、少なくとも締付け時に波型状に変形して長さが縮むことで足の締め付け具合を調節する。すなわち、前記高分子複合構造体は、短冊状の高分子素子を長手方向に複数連結し、隣接素子を互い違いに逆方向に湾曲させる、あるいは各素子を同方向に電気的に湾曲させることで、素子全体の長さを伸縮させる。締付け時においては、前記高分子複合構造体と足とは、湾曲の頂点部で接することになるので、密着感・圧迫感を抑制することができる。また前記高分子複合構造体と甲被との対向関係についても同様になるので、通気空間が確保され易くなる。
【００１９】
別の態様において、前記履物は、着座時を含む歩行スピードの違いを足の動きから検知する検出手段を備えており、前記装着手段は該検出手段からの信号に基づき足の締付け具合を変える電子的な制御手段を具備している。前記検出手段は、足の加速度や締付帯に掛かる応力を検出し、その度合いに応じた電気的出力を出力する。前記制御手段は、前記検出手段からの出力の大きさや単位時間当たりの頻度分布から、足の動きが今どのような状態なのかを識別し、その結果に基づいて前記高分子構造体の伸縮を自動調整する。
【００２０】
この構成によれば、歩行を始めた時には足の締付け力を即座に強めて足と履物の一体感を高め、歩行の安定性を得ることができる。一方、着座して足の動きが止まった時には、足の締付け力を緩めて体温や汗の放散を促し、リラックス感を得られるようにできる。ここで述べた自動調整方法は、制御手段のソフトウェアにより様々に変更可能であることは、言うまでもない。
【００２１】
本発明の他の態様において、履物は、履物の底と、履物の甲側にあって前記履物の底に足を密着させる装着手段と、前記装着手段の外側を覆う甲被とを備える。前記装着手段は、電気的に伸縮可能な高分子複合構造体と、前記履物に具備された操作部又は遠隔操作器からの設定情報に基づき前記高分子複合構造体に通電して足の締付け具合を電気的に調節する制御手段とを含む。これにより、装着手段による足の締付け具合を履物の外から簡単に調整することができる。
【図面の簡単な説明】
【００２２】
【図１】本発明の実施形態１に係わる本発明の履物の構成を示す側面透視図である。
【図２】図１の履物における装着手段を示す平面透視図である。
【図３】図２の履物における後足部の横断面図である。
【図４】図２の履物における中足部の横断面図である。
【図５】本発明の実施形態１に係わる甲パッドの構成を示す平面図である。
【図６】本発明の実施形態２に係わる平面透視図である。
【図７】図６における締付帯の調整冶具を示す平面図である。
【図８】図６におけるスライダー型調節部を示す断面図である。
【図９】本発明の実施形態３に係わる平面透視図である。
【図１０】図９の履物の構成を示す側面透視図である。
【図１１】図９に係わる電気的に伸縮可能な締付帯の横断面図である。
【発明を実施するための形態】
【００２３】
以下、図面を参照して、本発明の実施形態について説明する。以下に示す形態は、本発明の一態様を示すものであり、この発明に限定するものではなく、本発明の範囲内で任意に変更可能である。また、以下に示す各図においては、各構成要素を図面上で認識され得る程度の大きさとするため、各構成要素の寸法や比率などを実際のものとは適宜に異なるものとなっている。また、いずれの図面においても本発明の内容が理解され得る範囲で詳細部分は省略した概略図としてある。なお、これらの図面において同一の部材には同一の符号を付しており、また、重複した説明は省略されている。
【００２４】
［実施形態１］
図１は、本発明の実施形態１である本発明の足の装着手段を備えた履物の構成を示す側面透視図である。また図２は、甲被２の内側に設けられた前記装着手段の要部を示す平面透視図である。さらに図３、図４は、それぞれ図２のＡ−Ｂ線及びＣ−Ｄ線に沿って横断した横断面図である。
【００２５】
図１〜図４において、２００は履物全体を示し、履物２００は概略的に、アウトソール１（本底）と、インソール３と、甲被（アッパー）２と、足の装着手段から構成されている。足の装着手段は、締付帯５、６、３０、３１と形状可変部材８、９、１０、甲パッド７及び牽引部材１２、１３を主要構成要素とする。本発明の履物は足の固定機能と履物の外形・被覆機能とが分離されており、甲被１は足の固定機能を主体的に持たない。以下の説明では、皮革製紳士用ビジネスシューズを中心に本発明の詳細を述べるが、これに限定されるものではない。
【００２６】
アウトソール１は、例えば革やポリウレタンなどの合成樹脂、弾力のある発泡素材で一体形成される。甲被２は、革や合成皮革、布などの材料が用いられ、甲被２の端部と締付帯５、６、３０、３１の端部がアウトソール１とインソール３と間に釣込まれて接着あるいは縫い合わされ、アウトソール１に固定されている。足の固定は、装着手段とアウトソール１と甲被２の後端部４とでなされるが、後端部４は必須のものではない。
【００２７】
図２に示すようにアーチ型の前締付帯５と前締付帯３０とは、形状可変部材８によって接続されている。締付帯や形状可変部材の材質は、合成繊維や革など通常ベルトや紐に使われるものを主材とするものでよい。図５は、甲パッド７の上面から見た平面図である。甲パッド７は、適度な柔軟性を有するプラスチックや金属、木質材料及び複合材料などの保形性の材料で形成される。甲パッド７は、鉤状突起１４、３７に形状可変部材８を引っ掛けて甲パッド前方部が懸架される。
【００２８】
前足部と中足部の締め付け具合を調節するには、形状可変部材８における鉤状突起１４、３７の中間点部１１を牽引部材１３で履き口２４側に引くことにより行う。締め付け具合を保持するには、牽引部材１３の端部にある元々の牽引部材１３の径より大きな外径を有する複数の膨出部２２と、前記甲パッド７に設けられた前記膨出部２２の移動を阻止する係止部とを設けて牽引部材１３の移動を制限する。例えば、甲パッド７に形状可変部材８の中間点部１１の近くから履き口近くに繋がる孔１９、１８を設け、この孔のうち爪先側の孔１９の開口形状を前記膨出部が通過可能な大きな孔とし、履き口側の孔１８の開口形状を前記膨出部が通過できない小さい孔１８ａ（図５）と前記膨出部が通過できる大きな孔１８ｂ（図５）とを設け、両者の接触箇所で相互に連結した構造とする。そして、牽引部材１３の位置を保持する場合は、牽引部材１３を小さい孔１８a側に動かし、小さい孔１８aの周縁への膨出部２２の当接により膨出部２２の移動を阻止する。逆に牽引部材１３を出し入れする場合は、牽引部材１３を大きい孔１８b側に動かす。牽引部材１３は、牽引部材１２と同様に環状にしてもよく、その場合には、端を中間点部１１に戻して結わえる。
【００２９】
同様に後締付帯６と後締付帯３１とは、形状可変部材９、１０によって接続されている。甲パッド７は、鉤状突起１５、３５と１６、３６に形状可変部材９、１０をそれぞれ引っ掛けることで甲パッド後方部が懸架される。そして形状可変部材９、１０を鉤状突起１５、３５と１６、３６の中間点部３８で一つにまとめて牽引部材１２で履き口２４側に引くことにより、後足部の締め付け具合を調節する。牽引部材１２は、中間点部３８に戻るように環状に構成されているので、環状の牽引部材１２に指を掛けることで指一本で締付け具合を調整できる。
【００３０】
牽引部材１２の位置を保持する場合は、牽引部材１２を孔１８と同様に小孔１７ａと大孔１７ｂとを両者の接触箇所で連結した孔１７の小さい孔側に動かし、孔１７で膨出部２１の移動を阻止する。逆に牽引部材１２を出し入れする場合は、牽引部材１２を大きい孔側に動かす。
【００３１】
なお前記膨出部は、硬質のプラスチックや金属、ゴムなどを用いて形成されるが、牽引部材と一体形成されたものや、別個に形成され牽引部材に取り付けられたもの、あるいはそれらを組み合わせたものが考えられる。本発明ではいずれの方法で形成されたものでもよいが、次に例示する牽引部材と一体形成されたものが好適である。
【００３２】
第１の例は、１１ナイロンやポリプロピレンなどの適度な柔軟性と引っ張り強度を有する樹脂を用いて、紐と膨出部とを一体成型したものである。膨出部は予め所定の位置に複数形成されている。この場合、図２の係合部３８における紐端部の留め具も一体形成でき、コスト面で有利である。
【００３３】
第２の例は、ゴム質の芯材の外周を伸縮し難い糸で編んで覆った構造の伸縮可能なもので、編み方を部分的に変えることで膨出部を形成できるようにしたものである。この複合ゴム紐は、引っ張った力に応じて膨出部が縮小し、放置すれば膨出部が形成される。本発明の牽引部材として芯材に適度な弾力を有するゴム材を使用すれば、足の動きや足の大きさの変化に応じた締付け具合の微妙な調整が自然に行われることになり、履き心地が向上する。
【００３４】
上記一体形成以外の例としては、（第３の例）紐に対して挟み込み構造をもつ金属珠をかしめて紐の所定部位に固定したものや、（第４の例）紐の所定部位２ヶ所に固定膨出部を設け、中心に貫通穴を有して、貫通穴に紐１３を通して移動可能な複数の球状体を前記固定膨出部間に数珠状に設けたものが例示される。牽引部材は、任意の球状体間で小孔に移動できるように前記前記固定膨出部間には、算盤のようにすべての球状体が移動可能な紐の長さを有する。この場合の紐は、ポリエステル、ナイロン、革などの伸縮し難い材質であることが好ましい。
【００３５】
図３、図４は、それぞれ図２のＡ−Ｂ線及びＣ−Ｄ線に沿って横断した横断面図である。図３において甲パッド７の上部には空洞部５３、５４が設けられ、また、図４において甲パッド７の上部には空洞部５５が設けられている。図５に示すように、空洞部５３の履き口部２４側及び反履き口部２４側の端はそれぞれ孔１７，２０となっている。空洞部５４，５５は相互に連通し、空洞部５４の履き口部２４側の端は孔１８となり、空洞部５５の反履き口部２４側の端は孔１９となっている。空洞部５３、５４が甲パッドの頂部変曲部分にあることで、甲パッドの強度が高められ、甲パッド７をより薄肉軽量化することができる。
【００３６】
また空洞部５３、５４を形成する甲パッド７の膨らみは、甲被２と甲パッド７の間にある空間５２を確保するための支えの役割を担う。空間５２は、履物２００内の足首より前方の足部分の上面と甲被２の内面との間に形成され（図３及び図４）、履物２００内の爪先部２５の空間部分（図１）を履き口部２４へ連通させて、履物内部の高湿な空気を履き口部２４へ導く排出経路となるとともに、足と甲被２とを接触させ難くする緩衝空間となる。前述の特許文献４（特開２００２−１６５６１１号公報）の履物は、履物内部における爪先部空間を広げて、甲被の内面と足の爪先との間の空間について示唆するものの、足を履物内へ入れた状態で爪先から足首までの足範囲の空間、すなわち爪先部の高湿な空気を履き口部へ導く排出経路を形成することは開示していない。
【００３７】
空洞部５３、５４には、それぞれ牽引部材１２、１３が通っている。牽引部材１２は、甲被２と甲被２の裏側に取り付けられた懸架帯５１の間の空間を通って中間点部３８につながっている。これにより甲パッド７は、甲被２に吊り下げられた構造となるため、履物を履く際に甲パッド７が足先に引っ掛からないようにできる。
【００３８】
さらに甲パッド７の足に接する内側の部分は、通気性がよく体圧分散効果の高い編織布やスポンジ材を取り付けて、履き心地をよくしてもよい。また甲パッドの全面に亘って通気や放湿を可能とする多数の孔や微細構造を形成してもよい。このような構造にすることで、足の甲から発散される熱や汗が、甲パッドを透過して空間５２に放散されるので、快適さが向上するとともに足の甲が湿った甲パッドで擦れて痛むことを防止できる。
【００３９】
さらに履物の爪先部２５に外部に繋がる換気口を設けておけば、履き口２４は前記換気口より高い位置になるので、煙突効果により前記換気口には負圧が働き、空気の自然換気が行われる。さらに歩行時には、足の動きによる爪先部２５の空間容積が変化するふいご作用により、前述の空間５２を介した換気の他に、前記換気口を経由した積極的な吸排気が行われ易くなる。これにより、履物内部には常に新鮮な外気が導入されるようになるので、蒸れによる履物内部の不快感が大幅に軽減されることになる。
【００４０】
図４では、締付帯５、６、３０、３１の端部がアウトソール１とインソール３ならびに中底５０と間に釣込まれて接着あるいは縫い合わされ、アウトソール１に固定されている様子が示されている。これにより、牽引部材１２、１３を履き口２４側に引くことで締付帯の内径が縮小することになり、甲パッド７がアウトソール側及び後端部４側に引き付けられて、履物に足が固定される。
【００４１】
なお図５に示す甲パッド７は、金型を用いてプラスチックや軽量金属、複合材料などの軽量で剛性のある材料を一体成型して作られる。このため、一体成形時に実施形態３に説明する履物に搭載する電子装置や部品等を実装する構造を作り込むことが容易にできる。
【００４２】
［実施形態２］
図６は、本発明の実施形態２である足の装着手段を備えた履物の構成を示す平面透視図である。図７は、前足部と中足部の締め付け具合を調節する調節冶具を示す図である。図８は、後足部の締め付け具合を調節するスライダー型調節部を示す断面図である。実施形態２は、実施形態１に対し形状可変部の変形量を調節し保持する調節手段が異なるものであり、共通部分の説明は省略する。
【００４３】
図６、図８において、甲パッド７には、魚骨状のスライダー溝が甲パッド７の上面に刻設されている。該スライダー溝は、図８に示すように、前後方向へ延びる倒立Ｔ字型横断面を有する１つの中心溝９４と、中心溝９４に沿って一定間隔の複数の箇所において中心溝９４から左右へ張り出す複数の枝溝９７とを有している。これに対し、スライダー９０は、図８（ｃ）に示すように、中心溝９４の横断面輪郭に一致する横断面の倒立Ｔ字型突起９３を複数、備えている。スライダー９０は、その複数の突起９３を中心溝９４に嵌入されて、中心溝９４の案内により前後方向へ摺動する。
【００４４】
図８（a）、（ｂ）は、それぞれ図６のスライダー型調節部をＥ−Ｆ線、Ｇ−Ｈ線で切断した縦断面図、横断面図を示す。図８（ｃ）、（ｄ）は、それぞれ甲パッド本体側から見たスライダー９０の斜視図、Ｅ−Ｆ線の切断面から見た枝溝９７と中心溝９４を示す斜視図である。スライダー９０は、中心溝９４に沿って移動するが、倒立Ｔ字型突起９３は先端の断面形状が大きくなっているため、スライダー溝から外れ難くなっている。スライダー９０は、倒立Ｔ字型突起９３と枝溝９７の位置が合ったとき、枝溝９７に沿って左又は右へ移動し図８（a）のように枝溝９７と嵌合して、前後方向位置を固定される。
【００４５】
スライダー９０には、形状可変部材９、１０の中間部を一緒に連行するために通す連行溝９１、９２が設けられている。スライダー９０の上部には、スライダー９０を片手で操作し易くするための引き革９６が設けられている。引き革９６は、スライダー９０と丈夫な糸９８で縫い止めされている。足の締付け具合を調節するには、履き口２４に出ている引き革９６の端部を指先で摘んで引き出す。丁度よい締付け位置に来たら、引き革９６を左又は右に引き、スライダー９０の倒立Ｔ字型突起９３の位置を枝溝９７に一致させてからスライダー９０を枝溝９７に移動させることで、スライダー位置を保持させることができる。枝溝９７及び倒立Ｔ字型突起９３は、スライダー９０の枝溝９７への出し入れがスムーズに行えるように中足部方向に円弧を描くように形成されていてもよい。
【００４６】
図７（a）に示すＥ字型の締付け調節冶具８０は、実施形態１における前足部と中足部の締め付け具合を調節する牽引部材１３に関係する構成要素に代わるものである。前足部と中足部の締め付け具合は、履物を最初に履き始めるときに調整すれば、その後の調整変更はほとんど必要ない。したがって形状可変部８の長さを調節するためには、図７（a）に示す爪８１の間隔Ｗ１とＷ２と合わせた長さ（通常はＷ１＝Ｗ２）が異なる複数の締付け調節冶具８０を用意しておき、履物の使用者に合った冶具を選び装着すればよい。締付け具合の調節の仕方は、図７（ｂ）に示すように形状可変部材８を鉤状突起１４と３７との間で締付け調節冶具８０を絡ませて調節する。この時、形状可変部８の左右方向重複長さが中央の爪８１の幅及びＷ２により変化するので、締付け調節冶具８０を交換することにより形状可変部８の締め付け具合を調整することができる。
【００４７】
なお、締付け調節冶具８０は、形状可変部材８と甲パッド７に挟まれて、外れることはない。また、図７に示す締付け調節冶具８０は、実施形態１においても適用できることは言うまでもない。
【００４８】
［実施形態３］
図９は、本発明の実施形態３である形状可変部の一部又は全部を電気的に伸縮可能な高分子複合構造体（電気変形素子）とした履物の構成を示す平面透視図である。第１及び第２の実施形態では、物理的な力を用いて連行手段（紐あるいはスライダ―）と該連行手段のユーザー操作部を履き口部に配設して、ユーザーが該操作部を操作して、ユーザーが直接調整できない形状可変部の締付量を調整する。同様に、本発明の実施形態３では、電子的手段である導線１３２と制御手段１３０及びユーザー操作部１３５を履き口部に配設して、ユーザーが該操作部を操作して、ユーザーが直接調整できない形状可変部の高分子複合構造体を通電伸縮させることによって締付量を調整する。ユーザー操作部１３５は、ボタンスイッチが例示される。制御手段１３０は、ユーザー操作部１３５からの信号を受けて、内蔵されたソフトウェアでデジタル制御された電気出力を導線１３２を経由して高分子複合構造体に印加する。
【００４９】
本発明の実施形態３では、ユーザー操作部１３５の機能拡張が容易であり、ユーザー操作部１３５の補助手段として検出手段１３４や遠隔操作器１４０を具備していてもよい。
検出手段１３４としては、足の加速度を検出する加速度センサが好適である。また前記高分子複合構造体には、外的応力に応じて電圧を発生するものがある。該高分子複合構造体は、締付帯に用いれば歩行時に足から締付帯に加わる力に応じた電圧を発生するので、歩行状態を識別するための検出手段として兼用することができる。
【００５０】
この構成によれば、実施形態１、２では得られない効果を得ることができる。すなわち、足の締付具合の調節をユーザーが行なう他に、着座時を含めた歩行スピードの違いを足の動きから検知してダイナミックに締付具合を自動調節したり、手元の遠隔操作器１４０から制御手段１３０に無線や人体通信を用いて制御情報を送ることにより締付具合を調節したりすることが可能となる。
【００５１】
高分子複合構造体とは、ポリピロール、ポリアニリン、アクリルエステル化合物などの導電性高分子に見られる電気化学的な酸化還元などによって伸縮あるいは変形するものをいう。近年、電気的エネルギ−を運動や変形に変換する場合に変換部の体積をほとんど必要としないエレクトロアクティブアクチュエータが開発されている。例えば誘電性エラストマやエレクトロアクティブポリマーを用いたものがある（特開２００５−１４９８９４号公報）。
【００５２】
エレクトロアクティブポリマーの中でも、イオン伝導性アクチュエータ並びに導電性高分子アクチュエータは、高分子と金属電極を積層した柔軟なアクチュエータ素子であり、２〜５Ｖ程度の低電圧で素早く屈曲や伸縮が可能であるとともに、発生力が大きく耐久性があり、かつ軽量で形状成形の自由度が高いので、本発明の形状可変部材や締付部材として好適である。さらに高分子複合構造体において、常温溶融塩を含有させた（ゲル状）固体電解質を用いてドライ化させたものや、電極に炭素微粒子やカーボンナノチューブを混ぜた高分子電極に金属電極で裏打ちして低抵抗化したものがより好ましい。
【００５３】
図１１は、本発明における高分子複合構造体の構造例を示す図である。図１１(ａ)は、シート状導電性高分子６０を電極６１と対向電極６２とで狭持したものを一つの素子とし、シート状導電性高分子の長手方向に複数の素子を連続してつなげた高分子複合構造体を示す。図１１（ｂ）は、図(a)に対し電極が交互に接続されるようにつなげて電圧を印加した場合の湾曲した高分子複合構造体を示す。電極に電圧を印加すると、各素子は交互に逆方向に湾曲するので、印加電圧に応じて高分子複合構造体の長さが縮む。また電圧印加を止めても形状は保持される。逆電圧を印加すれば、元に戻る。
【００５４】
図１１（ｃ）は、シート状導電性高分子の同一面にある電極間を接続し、各素子に同極性の電圧を印加した場合を示す。本発明の履物に適用する場合は、電極の印加方法や電極形状は、履物の適用する場所に応じて適宜（ｂ）、（ｃ）を組み合わせたり、変形してよい。締付け時においては、前記高分子複合構造体と足とは、湾曲の頂点部で接することになるので、密着感・圧迫感を抑制することができる。また前記高分子複合構造体と甲被との対向部についても同様になるので、通気空間が確保され易くなる。また特に高分子複合構造体自体が伸縮する場合は、足との接触面積の少ないメッシュ状あるいは波型状の表面を有するソフトカバー材で高分子複合構造体を覆うことが好ましい。
【００５５】
図９に示すように実施形態３では、実施形態１、２で示した形状可変部材８、９、１０、３２、３３、３４と締付帯５、６、３０、３１の代わりに電気的に伸縮可能な高分子複合構造体１２２、１２３が締付部材となる。甲パッド１２８は、甲パッド１２８に設けられた対向する鉤状突起１２４、１２５並びに１２６、１２７によって高分子複合構造体１２２、１２３に脱着および摺動可能な状態で取り付けられる。さらに甲パッド１２８は、実施形態１と同様に甲被２に付けられた懸架帯で吊り下げられるようにしてもよい。高分子複合構造体１２２、１２３は、すべての部位が同率で伸縮する必要はなく、甲パッド１２８上にある部分を最も高い伸縮率とすることが好ましい。伸縮率の調整は、高分子複合構造体の各素子の大きさを変えたり、印加電圧を変えることで実現される。
【００５６】
図９、図１０において、高分子複合構造体１２２、１２３は、薄型の電池１２３を電源として制御手段１３０からの制御電圧を導線１３２、１３３及び図示してないがコネクタを介して甲パッド１２８と高分子複合構造体１２２、１２３が接続されることで湾曲もしくは伸縮し、足の締付け具合を変える。電池１２３は、ボタン型一次電池やペーパー電池が薄く軽量で実装上好適であるが、他の形式の一次電池や二次電池、燃料電池やペルチェ素子等を利用した発電装置と蓄電装置を組み合わせたものであってもよい。制御手段１３０は、足の動きを検出する検出手段１３４からの信号に基づき歩行状態や着座時を識別して、足の締付け具合をダイナミックに自動調整する。
【００５７】
また、制御手段１３０は、遠隔操作器１４０から無線又は人体通信を用いて、高分子複合構造体制御の基本設定情報や足の締付け具合の手動操作情報を受信して内蔵の（不揮発性）メモリに記憶し、高分子複合構造体１２２、１２３を制御する。通信では、靴紐１４１や甲パッド１２８にアンテナ線を埋め込んでもよい。これによって、乗り物や大ホールなどの狭い座席や会議の席などで、履物に指を掛けることなく足の締付け具合を遠隔調節することができるようになる。また、従来ブーツのような足の固定が十分できない履物においても、ブーツを履いたままで足の締付け具合を遠隔調節できるようになり、歩行の安定性を向上できる。
【００５８】
なお制御手段１３０や検出手段１３４、電池１２９などの耐湿性や信頼性が要求される電子部品は、プラスチックや金属で一体形成された甲パッド１２８で保護されるように実装されることが好ましい。すなわち甲パッド１２８に電子部品の格納スペースや配線構造を設け、電子部品が履物の使用条件に影響を受け難いようにする。さらに甲パッド１２８と電子部品とを一体にしたモジュールにすれば、履物本体とは別工程で製造でき、生産性に優れたものとなる。
【００５９】
以上、本発明の甲被を備えた履物の内部に足の締付け具合が調節可能な足の装着手段を備えた履物の実施形態に基づいて説明したが、本発明はこれら実施形態に限定されず種々の変形、組み合わせが可能である。例えば、装着手段における締付帯の本数や形状は、履物の用途やデザインに合わせて適宜変更してもよい。また締付帯と形状可変部とは、連続した材料を用いて一体形成されたものであってもよい。連行手段を係止する手段は、両手で操作する公知の係止手段を用いてもよい。
【００６０】
さらに別の変形例として、本発明の実施形態１〜３では、締付帯の端部がアウトソール１とインソール３と間に釣込まれて接着あるいは縫い合わされ、アウトソール１に固定されている例を示したが、甲被２の内側側面部に締付帯の端部が固定されていてもよい。すなわち、履物内部に設けられた装着手段の締付け具合が調節できること、さらに甲被と装着手段との間に履物内部の高湿な空気を排出する空間を確保できれば、どのように変形してもよい。
【００６１】
さらにマイクロエレクトロニクス技術を用いて電子的な制御を知能化することにより、よりきめ細かな装着制御が可能になる。また知能制御部を共用して装着制御以外の機能を装備することも容易になる。図９に示す甲パッドに電子装置を搭載する本発明の実装方法は、履物に各種の電子装置を実装して様々な有用な機能や効果を実現する場合に応用可能である。例えば無線通信機能や表示機能、発電・蓄電機能、健康管理・増進機能などが挙げられる。
【００６２】
また本発明は、ビジネスシューズや安全作業靴などフォーマル性や足の被覆保護が要求される履物だけでなく、ファッション性が重視されるパンプスやハイヒールなどの婦人用履物やブーツ、耐久性や耐候性が強く要求される登山靴やウォーキングシューズ、スポーツシューズなどの履物に幅広く適用可能である。
【符号の説明】
【００６３】
１・・・・  アウトソール(本底) 
２・・・・  甲被(アッパー)
３・・・・  インソール
４・・・・  後端部
５、３０、１２２・・・・  前締付帯
６、３１、１２３・・・・  後締付帯
７、１２８・・・・  甲パッド
８、９、１０、・・・・  形状可変部
１２、１３・・・  牽引部材
１４、１５、１６、３５、３６、３７・・・鉤状突起
１２４、１２５、１２６、１２７・・・鉤状突起
１７、１８、１９、２０・・・  孔
２１、２２・・・  膨出部
２３・・・  靴紐
２４・・・  履き口部
２５・・・  爪先部
５０・・・  中底
５１・・・  懸架帯
５３、５４、５５・・・  空洞部
６０・・・  シート状導電性高分子
６１、６２、６３、６４、６５、６６・・・  電極
８０・・・  締付け調節冶具
９０・・・  スライダー
９４・・・  中心溝
９１・・・  連行溝
９７・・・  枝溝
９６・・・  引き革
１２９・・・  電池
１３０・・・  制御手段
１３５・・・  ユーザー操作部
１３４・・・  検出手段
１４０・・・  遠隔操作器
２００・・・  履物
【図１】
2010201069.tif 000003
【図２】
2010201069.tif 000004
【図３】
2010201069.tif 000005
【図４】
2010201069.tif 000006
【図５】
2010201069.tif 000007
【図６】
2010201069.tif 000008
【図７】
2010201069.tif 000009
【図８】
2010201069.tif 000010
【図９】
2010201069.tif 000011
【図１０】
2010201069.tif 000012
【図１１】
2010201069.tif 000013